(57)【要約】      （修正有）【課題】内周面に複列の外輪軌道を、外周面の軸方向中間部に外向フランジを、それぞれ有する転がり軸受ユニット用外輪に関し、低コストで実施でき、しかも、前記両外輪軌道の転がり疲れ寿命を十分に確保できる構造及びその製造方法を提供する。【解決手段】第二中間素材２６の軸方向外半部の外周面を、軸方向外側から順番に、第一急傾斜面部１７と緩傾斜面部１８と第二急傾斜面部１９とを組み合わせた複合傾斜面部１６とする。（Ｃ）→（Ｄ）に示す仕上成形工程では、前記第二中間素材２６の軸方向外半部の表面形状を変化させず、外周面の軸方向内寄り部分に前記静止側フランジ６ａを形成して第三中間素材２７とする。【選択図】図２
2015107495.tif 000002
【特許請求の範囲】
【請求項１】
内周面に複列の外輪軌道を、外周面の軸方向中間部に外向フランジを、それぞれ有する転がり軸受ユニット用外輪の製造方法であって、
金属製で円柱状の原素材を軸方向に押し潰す事により、軸方向中間部の外径が軸方向両端部の外径よりも大きくなった第一中間素材を得る据え込み工程と、
この第一中間素材を塑性変形させる事により、軸方向両端面に開口して間部分を隔壁部により仕切られた１対の凹部を有し、軸方向片半部の外周面を、軸方向片側に向かう程外径が小さくなる方向に傾斜した複合傾斜面部とし、この複合傾斜面部が、軸方向片側から順番に、第一急傾斜面部と緩傾斜面部と第二急傾斜面部とを組み合わせたものであり、このうちの緩傾斜面部と、前記隔壁部の軸方向片側面とを径方向に重畳させた第二中間素材を得る荒成形工程と、
前記第二中間素材を塑性変形させる事により、前記隔壁部を、厚さ寸法を縮める方向に押し潰すと共に、この隔壁部よりも軸方向他端寄り部分の外周面に前記外向フランジを形成して第三中間素材を得る仕上成形工程とを
備える転がり軸受ユニット用外輪の製造方法。
【請求項２】
前記第三中間素材の隔壁部を打ち抜き除去して、外周面に前記外向フランジを備えた円筒状の最終中間素材を得る打ち抜き工程と、
この最終中間素材の内周面を削り取る事により、この内周面に前記両外輪軌道を形成する軌道仕上工程とを備え、
前記両外輪軌道のうち、軸方向片側の外輪軌道の肩部と、前記緩傾斜面部とを径方向に重畳させる、請求項１に記載した転がり軸受ユニット用外輪の製造方法。
【請求項３】
前記第三中間素材の軸方向他側開口の内径を、軸方向片半部の外径よりも大きくしている、請求項１〜２のうちの何れか１項に記載した転がり軸受ユニット用外輪の製造方法。
【請求項４】
内周面に複列の外輪軌道を、外周面の軸方向中間部に外向フランジを、それぞれ有する転がり軸受ユニット用外輪に於いて、
外周面のうちの軸方向片半部を、軸方向片側に向かう程外径が小さくなる方向に傾斜した複合傾斜面部としており、この複合傾斜面部が、軸方向片側から順番に、第一急傾斜面部と緩傾斜面部と第二急傾斜面部とを組み合わせたものである事を特徴とする転がり軸受ユニット用外輪。
【請求項５】
前記両外輪軌道のうち、軸方向片側の外輪軌道の肩部と、前記緩傾斜面部とが径方向に重畳している、請求項４に記載した転がり軸受ユニット用外輪。
【請求項６】
軸方向他側開口の内径が、軸方向片半部の外径よりも大きい、請求項４〜５のうちの何れか１項に記載した転がり軸受ユニット用外輪。
【発明の詳細な説明】
【技術分野】
【０００１】
この発明は、例えば自動車の車輪及びブレーキディスク等の制動用回転部材を懸架装置に対して回転自在に支持する為に利用する転がり軸受ユニットを構成する、転がり軸受ユニット用外輪及びその製造方法の改良に関する。
【背景技術】
【０００２】
自動車の車輪は、転がり軸受ユニットにより懸架装置に対して回転自在に支持する。図４に示した転がり軸受ユニット１は、従動輪（ＦＲ車及びＭＲ車の前輪、ＦＦ車の後輪）を車体の懸架装置に対し回転自在に支持する為のもので、外輪２と、ハブ３と、複数個の転動体４、４とを備える。このうちの外輪２は、内周面の軸方向２箇所位置に複列の外輪軌道５ａ、５ｂを、外周面の軸方向内端寄り部分（軸方向に関して「内」とは、自動車への組み付け状態で車両の幅方向中央側を言い、図１、図４及び図５の右側、並びに、図２及び図３の上側。反対に、自動車への組み付け状態で車両の幅方向外側となる図１、図４及び図５の左側、並びに、図２及び図３の下側を、軸方向に関して「外」と言う。本明細書全体で同じ。）に静止側フランジ６を、それぞれ有する。又、前記ハブ３は、外周面の軸方向外端寄り部分に回転側フランジ７を、同じく軸方向中間部乃至内端寄り部分の軸方向２箇所位置に複列の内輪軌道８ａ、８ｂを、それぞれ有する。そして、これら両内輪軌道８ａ、８ｂと前記両外輪軌道５ａ、５ｂとの間に前記各転動体４、４を、両列毎に複数個ずつ配置して、前記外輪２の内径側での前記ハブ３の回転を可能としている。使用状態では、前記外輪２の静止側フランジ６を、懸架装置を構成するナックルに支持固定すると共に、前記ハブ３の回転側フランジ７に、車輪及び制動用回転部材を結合固定する。
【０００３】
上述の様な転がり軸受ユニット１を構成する外輪２は、円柱状の金属素材（原素材）に鍛造加工を施して得た最終中間素材に、切削加工及び熱処理、並びに研削加工等の仕上加工を施す事によって造られる。前記円柱状の原素材は、鉄鋼メーカーで押し出し成形された、軸方向に直角な断面形状が円形である長尺材を所定長さに切断する事によって造られる。この様な原素材の組成（清浄度）が均一でない事は、特許文献１等に記載されて、従来から知られている。即ち、前記原素材のうちで、径方向に関して中心側４０％の範囲（中心からの半径が４０％までの範囲）、及び、径方向に関して外側２０％の範囲（中心からの半径が８０％よりも外側の範囲）には、それぞれ酸化物系非金属介在物等が多く存在する事により、清浄度が低い事が知られている。そして、この様な清浄度が低い金属材料が、前記外輪２の内周面に設けた複列の外輪軌道５ａ、５ｂのうち、特に前記各転動体４、４の転動面が転がり接触する部分に露出すると、当該部分の転がり疲れ寿命の確保が難しくなる。
【０００４】
これらの事を考慮し、且つ、前記原素材中の酸化物系非金属介在物等の分布のばらつきや、製造作業時に発生する押圧力等の各種ばらつきを考慮すると、前記原素材のうちで、径方向に関して中心側５０％の範囲（中心からの半径が５０％までの範囲）、及び、径方向に関して外側３０％の範囲（中心からの半径が７０％よりも外側の範囲）に存在する金属材料が、前記両外輪軌道５ａ、５ｂのうちで、少なくとも前記各転動面が転がり接触する部分に露出しない様にする事が好ましい。逆に言えば、前記両外輪軌道５ａ、５ｂのうちで、少なくとも前記各転動面が転がり接触する部分には、前記原素材のうちで、中心からの半径が５０％〜７０％の範囲に存在する、清浄度の高い金属素材を露出させる事が好ましい。
【０００５】
この様な事情に鑑みて、前記特許文献１には、前記原素材を前記最終中間素材（第五中間素材２５）に加工する過程で、外周面に外向フランジを持たない中間素材（第二中間素材２２）を形成する方法が記載されている。この様な特許文献１に記載された転がり軸受ユニットの外輪の製造方法によれば、静止側フランジ６の内径側に存在する外輪軌道５ａ、及び、この静止側フランジ６から離れた部分に存在する外輪軌道５ｂの何れに就いても、それぞれの表面に、前記原材料を構成する金属材料のうち、清浄度が高い部分を露出させられる。この為、前記両外輪軌道５ａ、５ｂの何れに就いても、転がり疲れ寿命を確保し易い。
【０００６】
図５に示した転がり軸受ユニット１ａは、特許文献２に記載された、駆動輪（ＦＦ車の前輪、ＦＲ車及びＲＲ車の後輪、４ＷＤ車の全車輪）用のもの（駆動輪支持用転がり軸受ユニット）である。この図５に示した転がり軸受ユニット１ａの場合には、軸方向内側の列（内側列）の転動体４ａ、４ａのピッチ円直径を、軸方向外側の列（外側列）の転動体４ｂ、４ｂのピッチ円直径よりも大きくしている。この為に、外輪２ａの内周面に設けた複列の外輪軌道５ｃ、５ｄのうち、軸方向内側の外輪軌道５ｃの直径を、軸方向外側の外輪軌道５ｄの直径よりも大きくしている。そして、前記外輪２ａの内径側に、ハブ３ａを配置している。
【０００７】
又、このハブ３ａは、第一、第二の内輪部材９、１０を結合して成る。このうちの第一の内輪部材９は、外周面の軸方向中間部で前記軸方向内側の外輪軌道５ｃと対向する部分に軸方向内側の内輪軌道８ｃを、軸方向内端部に等速ジョイント１１の外輪となるハウジング部１２を、軸方向外端部にスプライン軸１３を、それぞれ有する。又、前記第二の内輪部材１０は、前記外輪２ａの軸方向外方に突出した部分の外周面に回転側フランジ７を設け、前記軸方向外側の外輪軌道５ｄと対向する部分の外周面に軸方向外側の内輪軌道８ｄを、中心部に前記スプライン軸１３とスプライン係合するスプライン孔１４を、それぞれ設けている。又、前記両内輪軌道８ｃ、８ｄのうち、軸方向内側の内輪軌道８ｃの直径を、軸方向外側の内輪軌道８ｄの直径よりも大きくしている。そして、前記両外輪軌道５ｃ、５ｄとこれら両内輪軌道８ｃ、８ｄとの間にそれぞれ複数個ずつの転動体４ａ、４ｂを設けている。
【０００８】
上述の様な両列の転動体４ａ、４ｂのピッチ円直径（ＰＣＤ）を異ならせた構造（異径ＰＣＤ構造）の駆動輪支持用転がり軸受ユニットの場合には、前記内側列の各転動体４ａ、４ａのピッチ円の直径を前記外側列の各転動体４ｂ、４ｂのピッチ円の直径よりも大きくしている為、前記外輪２ａの軸方向内端部に設けたナックルパイロット部１５の内径が、この外輪２ａの外周面のうち、静止側フランジ６よりも軸方向外寄り部分の外径よりも大きくなっている。
【０００９】
又、外側列の転動体のピッチ円直径と、内側列の転動体のピッチ円直径とが互いに等しい転がり軸受ユニットの場合にも、例えば異なる車種同士の間で懸架装置のナックルを共通化する等を目的として、外輪の軸方向内端部に設けたナックルパイロット部の内径を、この外輪の外周面のうち、静止側フランジを設けた部分よりも軸方向外寄り部分の外径よりも大きくする事がある。
【００１０】
何れにしても、外輪の外周面のうちの軸方向外半部には、この外輪を鍛造により加工する際に、この外輪から金型を抜き取り易くする為に抜き勾配を設けている。従って、この外輪の軸方向内端部に設けたナックルパイロット部の内径が、この外輪の外周面の軸方向外寄り部分の外径よりも大きい場合、軸方向内側の外輪軌道と、この外輪の外周面と前記静止側フランジの軸方向内側面との連続部との間部分の肉厚が小さくなる。この間部分の肉厚が小さくなると、前記特許文献１に記載の製造方法により、前記外輪を、外周面に外向フランジを備えない中間素材に鍛造加工を施して、外向フランジを備える最終中間素材を造る際に、この中間素材の軸方向外寄り部分の中心部乃至径方向中間部に存在する金属材料の前記外向フランジに向けて移動する移動量が少なくなる。この結果、この金属材料のうち、清浄度の高い部分を複列の外輪軌道（特に、軸方向内側の外輪軌道）に露出させる事が難しくなる。
【先行技術文献】
【特許文献】
【００１１】
【特許文献１】特開２００８−１２６２８６号公報
【特許文献２】特開２００９−２９２２１７号公報
【発明の概要】
【発明が解決しようとする課題】
【００１２】
本発明は、上述の様な事情に鑑み、内周面に複列の外輪軌道を、外周面の軸方向中間部に外向フランジを、それぞれ有する転がり軸受ユニット用外輪に関し、低コストで実施でき、しかも、前記両外輪軌道の転がり疲れ寿命を十分に確保できる構造及びその製造方法を実現すべく発明したものである。
【課題を解決するための手段】
【００１３】
本発明の対象となる転がり軸受ユニット用外輪は、内周面に複列の外輪軌道を、外周面の軸方向中間部に外向フランジを、それぞれ有する。
【００１４】
特に、請求項１に記載した転がり軸受ユニット用外輪の製造方法に於いては、据え込み工程と、荒成形工程と、仕上成形工程とを備える。このうちの据え込み工程は、金属製で円柱状の原素材を軸方向に押し潰す事により、軸方向中間部の外径が軸方向両端部の外径よりも大きくなった第一中間素材を得る。
又、前記荒成形工程は、前記第一中間素材を塑性変形させる事により、軸方向両端面に開口して間部分を隔壁部により仕切られた１対の凹部を有し、軸方向片半部の外周面を、軸方向片側に向かう程外径が小さくなる方向に傾斜する複合傾斜面部とした第二中間素材を得る。このうちの複合傾斜面部は、軸方向片側から順番に、前記外輪の中心軸に対する傾斜角度が大きな第一急傾斜面部と、同じく小さな緩傾斜面部と、同じく大きな第二急傾斜面部とを組み合わせたものである。そして、このうちの緩傾斜面部と前記隔壁部の軸方向片側面とを、径方向に重畳させる。
又、前記仕上成形工程は、前記第二中間素材を塑性変形させる事により、前記隔壁部を、厚さ寸法を縮める方向に押し潰すと共に、この隔壁部よりも軸方向他端寄り部分の外周面に前記外向フランジを形成して第三中間素材を得る。
【００１５】
上述の様な本発明の転がり軸受ユニット用外輪の製造方法を実施する場合に好ましくは、請求項２に記載した発明の様に、打ち抜き工程と軌道仕上工程とを備えるものとする。このうちの打ち抜き工程は、前記第三中間素材の隔壁部を打ち抜き除去して、外周面に前記外向フランジを備えた円筒状の最終中間素材を得る。
又、前記軌道仕上工程は、この最終中間素材の内周面に切削加工や研削加工等を施してこの内周面を削り取る事により、この内周面に前記両外輪軌道を形成する。
そして、前記両外輪軌道のうち、軸方向片側に存在する外輪軌道の肩部と前記緩傾斜面部とを、径方向に重畳させる。
【００１６】
又、好ましくは請求項３に記載した発明の様に、前記第三中間素材の軸方向他端側の開口の内径を、軸方向片半部の外径よりも大きくする。
【００１７】
又、請求項４に記載した、転がり軸受ユニット用外輪は、外周面のうちの軸方向片半部を、軸方向片側に向かう程外径が小さくなる方向に傾斜した複合傾斜面部としている。この傾斜面部を、軸方向片側から順番に、前記外輪の中心軸に対する傾斜角度が大きな第一急傾斜面部と、同じく小さな緩傾斜面部と、同じく大きな第二急傾斜面部とを組み合わせたものとしている。
この様な請求項４に記載した転がり軸受ユニット用外輪を実施する場合に好ましくは、請求項５に記載した発明の様に、前記両外輪軌道のうち、軸方向片側の外輪軌道の肩部と、前記緩傾斜面部とを径方向に重畳させる。
又、好ましくは請求項６に記載した発明の様に、軸方向他側開口の内径を、軸方向片半部の外径よりも大きくする。
【発明の効果】
【００１８】
上述の様に構成する本発明の転がり軸受ユニット用外輪及びその製造方法によれば、複列の外輪軌道の転がり疲れ寿命を十分に確保できる。
即ち、本発明の場合、円柱状の原素材を、外周面に外向フランジを備える第三中間素材に加工する過程で、外周面に外向フランジを持たない第二中間素材の軸方向片半部の外周面に、軸方向片側から順番に、第一急傾斜面部と緩傾斜面部と第二急傾斜面部とを組み合わせた複合傾斜面部を形成し、このうちの緩傾斜面部と、隔壁部の軸方向片側面とを径方向に重畳させている。この為、例えば、請求項３若しくは請求項６に記載した発明の様に、軸方向他側開口の内径を、軸方向片半部の外径よりも大きくした場合にも、前記原素材のうちで清浄度の高い径方向中間部（中間円筒状部分）の金属材料を、前記両外輪軌道部分に露出させられる。この結果、これら両外輪軌道の転がり疲れ寿命を十分に確保できる。
【図面の簡単な説明】
【００１９】
【図１】本発明の実施の形態の１例に係る転がり軸受ユニット用外輪を組み込んだ、転がり軸受ユニットを示す断面図。
【図２】前記転がり軸受ユニット用外輪の製造方法を工程順に示す、原素材乃至第五中間素材の断面図。
【図３】荒成形工程の実施状況を工程順に示す断面図。
【図４】転がり軸受ユニットの従来構造の第１例を示す断面図。
【図５】同第２例を示す断面図。
【発明を実施するための形態】
【００２０】
図１〜３は、本発明の実施の形態の１例を示している。このうちの図１は、本発明の対象となる外輪２ｂを備えた転がり軸受ユニット１ｂを示している。尚、本例の特徴は、この外輪２ｂの内周面に設けた複列の外輪軌道５ａ、５ｂの表面に清浄度の高い金属材料を露出させ、当該部分の転がり疲れ寿命を確保する為の構造及びその製造方法にある。その他の部分の構造及び作用は、前述の図４〜５に示した従来構造の第１〜２例と同様であるから、重複する説明は省略若しくは簡略にし、以下、本例の特徴部分を中心に説明する。
【００２１】
前記外輪２ｂは、内周面の軸方向２箇所位置に複列の外輪軌道５ａ、５ｂを、外周面のうち、軸方向に関する位置がこれら両外輪軌道５ａ、５ｂのうちの軸方向内側の外輪軌道５ａと一致する部分に、特許請求の範囲に記載した外向フランジである静止側フランジ６ａを、それぞれ有する。又、前記外輪２ｂの軸方向内端部には、懸架装置を構成するナックルの支持孔に内嵌し、この懸架装置に対する前記転がり軸受ユニット１ｂの位置決めを図る為のナックルパイロット部１５ａを設けている。本例の場合、このナックルパイロット部１５ａの内径を、前記外輪２ｂの軸方向外半部（前記静止側フランジ６ａを設けた部分よりも軸方向外寄り部分）の最大外径よりも大きくしている。又、前記外輪２ｂの外周面のうち、前記静止側フランジ６ａを設けた部分よりも軸方向外寄り部分（軸方向外半部）を、軸方向外側に向かう程外径が小さくなる方向に傾斜した複合傾斜面部１６とし、この複合傾斜面部１６を、軸方向外側から順番に、第一急傾斜面部１７と、緩傾斜面部１８と、第二急傾斜面部１９とを組み合わせた複合傾斜面としている。本例の場合、このうちの第一、第二両急傾斜面部１７、１９の前記外輪２ｂの中心軸に対する傾斜角度を１．７２度以上２．２９度以下に、前記緩傾斜面部１８の前記外輪２ｂの中心軸に対する傾斜角度を０．２９度以上０．５７度以下に、それぞれ設定し、前記複合傾斜面部１６全体の傾斜角度の平均値を１．１５度以上１．７２度以下に設定している。そして、前記両外輪軌道５ａ、５ｂのうちの軸方向外側の外輪軌道５ｂの溝肩部（軸方向内端縁）２０を、前記緩傾斜面部１８と径方向に重畳させている。
【００２２】
尚、図示の例の場合、ハブ３ｂの軸方向内端部にエンコーダ２１を外嵌固定すると共に、樹脂製のカバー２２を前記ナックルパイロット部１５ａに内嵌している。そして、このカバー２２の保持部２３に、図示しないセンサを包埋したセンサユニットを組み付け、このセンサユニットの検出部を、前記エンコーダ２１の被検出面に近接対向させる事で、前記ハブ３ｂの回転速度等、前記車輪支持用転がり軸受ユニット１ｂの状態量を測定可能としている。この様な状態量測定装置の構造に就いては、本発明の要旨と関係しない為、詳しい説明は省略する。
【００２３】
上述の様な外輪２ｂは、図２に示す手順で造られる。本例の製造方法の場合、図２の（Ａ）に示した、中炭素鋼、軸受鋼、浸炭鋼の如き鉄系合金等の、塑性加工後に焼き入れ硬化可能な、金属製で断面円形の長尺材を所定長さに切断する事で造られた円柱状の原素材２４に、順次、塑性加工或いは打ち抜き加工を施す。そして、（Ｂ）に示した第一中間素材２５、（Ｃ）に示した第二中間素材２６、（Ｄ）に示した第三中間素材２７、（Ｅ）に示した第四中間素材２８を経て、（Ｆ）に示した、特許請求の範囲に記載した最終中間素材である、第五中間素材２９を得る。更に、この第五中間素材２９に、必要とする切削加工及び熱処理、並びに研削加工を施して前記外輪２ｂとする。尚、以下の加工は、基本的には総て熱鍛造間若しくは温間鍛造で行うが、この外輪２ｂが小型で加工荷重が小さくて済む場合等、可能であれば、後処理の手間が少なく、寸法精度も確保し易い冷間鍛造で行っても良い。
【００２４】
先ず、据え込み工程で、図２の（Ａ）→（Ｂ）に示す様に、前記原素材２４を軸方向に押し潰しつつ外径を拡げ、この原素材２４を、軸方向中間部の外径が軸方向両端部の外径よりも大きい（母線形状が略部分円弧形である）ビヤ樽型の、前記第一中間素材２５とする。
次の荒成形工程で、図２の（Ｂ）→（Ｃ）に示す様に、前記第一中間素材２５を前記第二中間素材２６に塑性加工する。この様な荒成形工程では、この第一中間素材２５の径方向中央寄り部分を軸方向に圧縮して、金属材料を径方向外方に移動させつつ、軸方向両側（前後両方向）に移動させる。
【００２５】
前記第一中間素材２５の径方向中央寄り部分を軸方向に圧縮する加工は、この第一中間素材２５を、前記第二中間素材２６の外周面形状に対応する（凹凸が逆になった）内周面形状を有する荒成形用ダイス内にセットした状態で、互いに同心に配置した１対の荒成形用押圧パンチ同士の間で前記第一中間素材２５の軸方向両端面中央部を押圧する事により行う。そして、前記荒成形用ダイスの内周面と、前記両荒成形用押圧パンチの外面（外周面及び先端面）とにより囲まれたキャビティ内に充満させ、前記第二中間素材２６とする。この第二中間素材２６は、軸方向両端面に開口する１対の凹部３０ａ、３０ｂと、これら両凹部３０ａ、３０ｂ同士の間に存在する隔壁部３１とを備え、軸方向外半部（図２の下半部）の外周面を、軸方向外側に向かう程外径が小さくなる方向に傾斜した複合傾斜面部１６としている。この複合傾斜面部１６は、軸方向外側から順番に、第一急傾斜面部１７と、緩傾斜面部１８と、第二急傾斜面部１９とを組み合わせた複合傾斜面である。そして、前記隔壁部３１の軸方向外側面の軸方向位置を、前記緩傾斜面部１８の軸方向中間部としている（これら隔壁部３１の軸方向外側面と、緩傾斜面部１８とを、径方向に重畳させている）。又、本例の場合、前記両凹部３０ａ、３０ｂの形状をそれぞれ、奥半部に設けた内径が小さい小径部３２ａ、３２ｂと、開口側半部に設けた内径が大きい大径部３３ａ、３３ｂとを連続させた段付形状としている。この為に、前記両荒成形用押圧パンチとして、先半部の外径が小さく、基半部の外径が大きい、段付のものを使用している。
【００２６】
上述の様にして行う据え込み工程で、前記第一中間素材２５を前記第二中間素材２６に塑性加工する事に伴い、前記原素材２４のうち、径方向に関して、中心から５０％未満の範囲に存在していた、清浄度の低い中心部金属材料３５と、中心からの半径が５０％〜７０％の範囲に存在していた、清浄度の高い中間部金属材料３６と、中心から７０％よりも外側の範囲に存在していた、清浄度の低い外側部金属材料３７との分布状況が、図２の（Ｂ）→（Ｃ）に示す様に変化する。即ち、本例の場合には、前記両荒成形用押圧パンチとして、先半部の外径が、前記原素材２４の外径の５０％よりも大きく、７０％未満のものを使用し、前記第二中間素材２６の段階で、前記両凹部３０ａ、３０ｂのうちの、前記両外輪軌道５ａ、５ｂを形成すべき部分に、清浄度が高い前記中間部金属材料３６が露出する様にしている。
【００２７】
上述の様にして造った、前記第二中間素材２６は、続く仕上成形工程で、前記第三中間素材２７とする。この仕上成形工程は、図３に示した加工装置を使用して行う。この加工装置は、押圧パンチ３８と、カウンターパンチ３９と、上側ダイス４０と、下側ダイス４１と、押し出しパンチ４２を備える。これら各構成部材３８〜４２のうち、押圧パンチ３８と上側ダイス４０とは、プレス加工機のラムの下面に固定されており、このラムと共に昇降する。
【００２８】
一方、前記カウンターパンチ３９と前記下側ダイス４１とは、前記プレス加工機の支持台の上面に、互いに同心に固定されており、互いの間に、前記第二中間素材２６の軸方向外半部の外面形状に見合う（凹凸が逆である）内面形状を有する下側キャビティ４３を設けている。即ち、前記カウンターパンチ３９を、先半部の外径が小さく、基半部の外径が大きい段付のものとすると共に、前記下側ダイス４１の内周面を、前記複合傾斜面部１６に見合う（凹凸が逆である）複合傾斜面としている。前記カウンターパンチ３９とこの下側ダイス４１とは、前記仕上成形工程の進行に伴って相対変位する事はない。更に、円柱状の前記押し出しパンチ４２を、前記カウンターパンチ３９の中央部に配置している。この様な前記押し出しパンチ４２は、前記プレス加工機の支持台に対し、昇降可能に支持されている。そして、この押し出しパンチ４２が下降し切った状態で、この押し出しパンチ４２と前記カウンターパンチ３９の上端面同士の軸方向位置を互いに一致（同一平面上に位置）させ、前記下側キャビティ４３の内面形状が、前記第二中間素材２６の軸方向外半部の外面形状に見合う形状になる様にしている。
【００２９】
上述の様な構成を有する、前記加工装置を使用して、前記第二中間素材２６に前記仕上成形工程を施す場合には、先ず、前記両凹部３０ａ、３０ｂのうちの軸方向外側（下側）の凹部３０ａに、前記カウンターパンチ３９を、この下側の凹部３０ａの変形に結び付く様な隙間を介在させない状態で密に内嵌すると共に、前記第二中間素材２６の軸方向外側を、前記下側ダイス４１に内嵌する。その後、図３の（Ａ）→（Ｂ）に示す様に、前記押圧パンチ３８と前記上側ダイス４０とを下降させる。この下降に伴って前記押圧パンチ３８が、軸方向内側（上側）の凹部３０ｂの開口部の内径を押し拡げると共に、前記隔壁部３１の軸方向内側面を凹ませ、この隔壁部３１の軸方向寸法を縮める。これと同時に、前記上側ダイス４０が、前記第二中間素材２６の一部、即ち、軸方向内端部の外径寄り部分を押圧して、径方向外方に塑性変形させる。そして、前記上側ダイス４０の下面と前記下側ダイス４１の上面との間に存在する成形用空間４４に金属材料を移動させて静止側フランジ６ａを形成し、図２の（Ｄ）に示す様な、前記第三中間素材２７とする。尚、本例の場合、前記仕上成形工程では、前記複合傾斜面部１６を含む前記第二中間素材２６の軸方向外半部の表面形状は変化させない。
【００３０】
この様にして行う前記仕上成形工程に伴って、前記各金属材料３５〜３７の分布状況が、図２の（Ｃ）→（Ｄ）に示す様に変化する。本例の場合、前記第二中間素材２６の軸方向外半部の外周面を、複合傾斜面部１６としている為、この第二中間素材２６内での前記各金属材料３５〜３７の流れを整えられ、図２の（Ｄ）に示す様に、前記第三中間素材２７のうち、後から外輪軌道５ａ、５ｂを形成すべき部分に、前記中間部金属材料３６を存在させられる。この理由に就いて、次に説明する。
【００３１】
先ず、前記複合傾斜面部１６のうち、傾斜角度が小さい緩傾斜面部１８と、前記隔壁部３１の軸方向外側面とを径方向に重畳させている。これにより、前記下側ダイス４１の内周面と前記第二中間素材２６の外周面との間の摩擦抵抗を、前記隔壁部３１の軸方向外側面の外径側部分で大きくしている。この為、前記仕上成形工程に伴い、この隔壁部３１から軸方向外側に向かって移動する、前記第二中間素材２６を構成する金属材料の移動量を少なく抑えられる。又、この第二中間素材２６の外周面のうちの軸方向外端部を、傾斜角度が大きい第一急傾斜面部１７とし、前記摩擦抵抗をこの軸方向外端部で小さくしている。従って、この軸方向外端部に存在する前記外側部金属材料３７が、前記仕上成形工程に伴い軸方向外側に向かって移動し易い。この結果、前記第三中間素材２７のうち、後から軸方向外側の外輪軌道５ｂを形成すべき部分に、前記中間部金属材料３６を残留させられる。
【００３２】
これに対し、前記複合傾斜面部１６のうち、前記緩傾斜面部１８と軸方向内側に隣接する部分を、傾斜角度が大きい第二急傾斜面部１９としている。これにより、前記摩擦抵抗を前記第二中間素材２６の軸方向中間部（この第二中間素材２６の隔壁部３１の軸方向内半部の外径側部分）で小さくして、前記仕上成形工程の際に、前記隔壁部３１から前記静止側フランジ６に向かって移動する、前記第二中間素材２６を構成する金属材料の移動量を多くできる。特に本例の場合には、前記緩傾斜面部１８と前記隔壁部３１の軸方向外側面とを径方向に重畳させ、前記摩擦抵抗をこの隔壁部３１の軸方向外半部の外径側部分で大きくし、前記金属材料の軸方向外方への移動を抑えている。この為、この隔壁部３１から前記静止側フランジ６に向かって移動する金属材料は、前記上側の凹部３０ｂの外径寄り部分を移動する。この結果、前記第三中間素材２７のうち、後から軸方向内側の外輪軌道５ａを形成すべき部分に、前記中間部金属材料３６を残留させられる。
【００３３】
尚、本例の場合には、前記第三中間素材２７の加工完了状態で、前記上側ダイス４０の下面と前記下側ダイス４１の上面とが互いに当接せず、これら両面同士の間に隙間４５が介在する様にしている。この隙間４５には、金属材料の余肉が入り込んで、バリ４６を形成する。この様にして造られた、前記静止側フランジ６の外周面からバリ４６を突出させた、前記第三中間素材２７は、前記押圧パンチ３８及び前記上側ダイス４０を上昇させてから、前記押し出しパンチ４２を上昇させることで、前記加工装置から取り出す。
【００３４】
本例の場合、前記第三中間素材２７の軸方向外半部の外周面を、軸方向外側に向かう程外径が小さくなる方向に傾斜した複合傾斜面部１６としている。従って、前記第三中間素材２７を前記下側ダイス４１から取り出す際に、この複合傾斜面部１６が抜き勾配として機能し、この第三中間素材２７をこの下側ダイス４１から取り出し易くできる。特に本例の場合、前記複合傾斜面部１６を、軸方向外側から順番に、第一急傾斜面部１７と緩傾斜面部１８と第二急傾斜面部１９とを組み合わせた複合傾斜面としている為、前記外輪２ｂの製造コストの増大を抑えつつ、前記下側ダイス４１の耐久性を確保できる。即ち、前記第三中間素材２７の軸方向外半部の外周面を軸方向に亙り、傾斜角度が小さい緩傾斜面とした場合、この軸方向外半部の外周面と前記下側ダイス４１の内周面との間の摩擦抵抗が大きくなり、前記仕上成形工程の際に、この下側ダイス４１に加わる力が大きくなると共に、前記第三中間素材２７をこの下側ダイス４１から抜き取る際に、この下側ダイス４１に加わる力が大きくなる。この為、この下側ダイス４１の耐久性の確保が難しくなる。これに対し、前記第三中間素材２７の軸方向外半部の外周面を軸方向に亙り、傾斜角度が大きい急傾斜面とした場合、前記下側ダイス４１に加わる荷重を小さく抑える事ができる。但し、この場合、前記第三中間素材２７の軸方向外半部の肉厚が過度に厚くなって、前記外輪２ｂが重量が徒に増大したり、仕上工程での切削量が増大して、この外輪２ｂの製造コストが増大する。これに対し、本例の場合、前記複合傾斜面部１６を複合面としている為、前記第三中間素材２７の軸方向外半部の肉厚が過度に厚くなるのを防止しつつ、前記下側ダイス４１に加わる力を小さく抑えられる。
【００３５】
上述の様な第三中間素材２７は、図２の（Ｄ）→（Ｅ）に示す様に、前記バリ４６を打ち抜き除去して、前記第四中間素材２８とする。そして、最後に、図２の（Ｅ）→（Ｆ）に示す様に、前記両凹部３０ａ、３０ｂ同士の間に存在する前記隔壁部３１を、プレス加工等により打ち抜き除去する事で、内周面に前記軸方向外側の外輪軌道５ｂの溝肩部２０及び前記軸方向内側の溝肩部２０ａ（図１参照）を形成すべき部分である小径部を備える前記第五中間素材２９となる。この第五中間素材２９は、完成後の外輪２ｂ｛図２の（Ｆ）の鎖線参照｝よりも厚肉である。そこで、この第五中間素材２９に、所定の切削（旋削）加工及び熱処理を施した後、研削加工を施して、前記外輪２ｂとして完成する。本例の場合、この仕上加工に伴って、前記下側の凹部３０ａの内周面と底面との連続部の径方向外側に、軸方向外側の外輪軌道５ｂの溝肩部２０が形成される。従って、前記複合傾斜面部１６のうちの緩傾斜面部１７と、この溝肩部２０とが径方向に重畳する。前記図２の（Ｅ）及び（Ｆ）に示した、前記各金属材料３５〜３７の分布状態から明らかな通り、本例の外輪２ｂの製造方法によれば、この外輪２ｂの内周面のうちの軸方向に離隔した２箇所位置に形成した１対の外輪軌道５ａ、５ｂのうちの少なくとも転動体からの荷重が作用する部分に、前記原素材２４のうちで清浄度が高い金属材料３６を露出させられる。この為、前記両外輪軌道５ａ、５ｂの転がり疲れ寿命を確保できる。
【産業上の利用可能性】
【００３６】
本発明の転がり軸受ユニット用外輪の製造方法及び転がり軸受ユニット用外輪は、軸方向片半部の外径よりも、軸方向他端部に設けたナックルパイロット部の内径が大きい外輪に限らず、ナックルパイロット部の内径が軸方向片半部の外径と同じ乃至小さいものに適用する事もできる。又、本発明に係る転がり軸受ユニット用外輪を組み込んだ転がり軸受ユニットは、自動車の車輪および制動用回転部材を懸架装置に対して回転自在に支持する為以外にも、例えば回転機械装置の回転支持部等に適用する事もできる。
【符号の説明】
【００３７】
１、１ａ、１ｂ  転がり軸受ユニット
２、２ａ、２ｂ  外輪
３、３ａ、３ｂ  ハブ
４、４ａ、４ｂ  転動体
５ａ〜５ｄ  外輪軌道
６、６ａ  静止側フランジ
７    回転側フランジ
８ａ〜８ｄ  内輪軌道
９    第一の内輪部材
１０    第二の内輪部材
１１    等速ジョイント
１２    ハウジング部
１３    スプライン軸
１４    雌スプライン孔
１５、１５ａ  ナックルパイロット部
１６    傾斜面部
１７    第一急傾斜面部
１８    緩傾斜面部
１９    第二急傾斜面部
２０、２０ａ  溝肩部
２１    エンコーダ
２２    カバー
２３    保持部
２４    原素材
２５    第一中間素材
２６    第二中間素材
２７    第三中間素材
２８    第四中間素材
２９    第五中間素材
３０ａ、３０ｂ  凹部
３１    隔壁部
３２ａ、３２ｂ  小径部
３３ａ、３３ｂ  大径部
３５    中心部金属材料
３６    中間部金属材料
３７    外側部金属材料
３８    押圧パンチ
３９    カウンターパンチ
４０    上側ダイス
４１    下側ダイス
４２    押し出しパンチ
４３    下側キャビティ
４４    成形用空間
４５    隙間
４６    バリ
【図１】
2015107495.tif 000003
【図２】
2015107495.tif 000004
【図３】
2015107495.tif 000005
【図４】
2015107495.tif 000006
【図５】
2015107495.tif 000007